(57)【特許請求の範囲】
【請求項１】
温水を蓄える貯湯槽（１２）と、
前記貯湯槽（１２）の下部から流出した湯を加熱し、加熱した湯を前記貯湯槽（１２）の上部に戻すヒートポンプ式給湯装置（１１）と、
前記貯湯槽（１２）内の温水を一次側に流通させて２次側流体と熱交換する暖房用熱交換器（３１）と、
前記貯湯槽（１２）の上部に接続され、前記貯湯槽（１２）内の温水を前記暖房用熱交換器（３１）に流入させ、前記暖房用熱交換器（３１）から流出した温水を前記貯湯槽（１２）の下部に戻す１次側温水回路（３０）と、
前記１次側温水回路（３０）に配設され、前記貯湯槽（１２）内の温水を前記１次側温水回路（３０）において循環させる第１循環ポンプ（３２）と、
前記２次側流体を流通させて暖房の用途に供する暖房器（５０、６０）と、
前記暖房用熱交換器（３１）から流出した前記２次側流体を前記暖房器（５０、６０）に流入させ、前記暖房器（５０、６０）から流出した前記２次側流体を前記暖房用熱交換器（３１）に流入させる２次側温水回路（４０）と、
前記２次側温水回路（３０）に配設され、予め設定された流量の前記２次側流体を前記暖房用熱交換器（３１）から前記暖房器（５０、６０）に循環させる第２循環ポンプ（４２）と、
前記１次側温水回路（３０）および前記２次側温水回路（４０）に循環する温水および前記２次側流体の流量を制御する流量制御手段（２２）とを備える多機能給湯装置であって、
前記暖房器（５０、６０）に流通させる前記２次側流体の水温（Ｔ１）を検出する第１水温検出手段（４１）と、前記暖房器（５０、６０）を流通させた前記２次側流体の水温（Ｔ２）を検出する第２水温検出手段（４４）とが設けられ、前記流量制御手段（２２）は、前記暖房器（５０、６０）を運転させたときに、前記第１水温検出手段（４１）によって検出された前記２次側流体の水温（Ｔ１）と前記第２水温検出手段（４４）によって検出された前記２次側流体の水温（Ｔ２）によって求められる受熱量が小さくなると、前記１次側温水回路（３０）内を循環する温水の流量が低下するように前記第１循環ポンプ（３２）の回転数を変化させるように制御することを特徴とする多機能給湯装置。
【発明の詳細な説明】
【０００１】
【発明の属する技術分野】
本発明は、給湯手段によって加熱された温水を蓄える貯湯槽内の温水を利用して給湯の他に暖房の用途に供する暖房器を有する多機能給湯装置に関するものであって、特に暖房器の運転のときに貯湯槽内の温水を循環させる流量制御に関する。
【０００２】
【従来の技術】
従来、この種の多機能給湯装置として、例えば図８に示すように、給湯器などの給湯手段１００により加熱された温水を蓄える貯湯槽１１０を有する給湯装置において、その貯湯槽１１０内に蓄えられた高温の温水を湯水混合弁１２０が設けられた給湯配管１３０に出湯させて水道水と混合させて給湯または浴槽へのお湯張りを行なうとともに、貯湯槽１１０内の高温の温水の熱量を利用して床暖房や浴室暖房器などの暖房器１４０に流通させて暖房の用途に供するものがある。
【０００３】
この装置は、貯湯槽１１０内の温水を一次側に流通させて２次側流体と熱交換する暖房用熱交換器１５０および貯湯槽１１０内の温水を暖房用熱交換器１５０に循環する第１循環ポンプ１６０を有する１次側温水回路１７０と、２次側流体を流通させて暖房の用途に供する暖房器１４０および２次側流体を暖房器１４０に循環する第２循環ポンプ１８０とを有する２次側温水回路１９０とで構成されている。
【０００４】
また、２次側温水回路１９０の暖房器１４０を運転させたときに、第１循環ポンプ１６０および第２循環ポンプ１８０が作動されるように制御させて、貯湯槽１１０内の温水の熱量を２次側流体に熱交換させ暖房器１４０より放熱させるように構成されている。
【０００５】
そして、この暖房器１４０の放熱により、１次側温水回路１７０の貯湯槽１１０内に戻る温水の熱量が低下してくる。給湯手段１００ではこの熱量の低下を検出し給湯手段１００を作動させて貯湯槽１１０内の温水が所定の湯温を維持するように制御されている。
【０００６】
【発明が解決しようとする課題】
上記構成の多機能給湯装置によれば、例えば２次側温水回路１９０の暖房器１４０を少なくとも２個以上の複数個設けたときには、第１循環ポンプ１６０および第２循環ポンプ１８０は、一般的に暖房器１４０の設置個数分を許容できる流量で作動させるように構成されるものである。
【０００７】
しかしながら、暖房器１４０の運転台数や、暖房器１４０の放熱量が少ないときには、２次側温水回路１９０を循環する２次流体の熱量が低下してしまう。従って、熱量を供給する側の温水においても暖房用熱交換器１５０を通過した貯湯槽１１０内に戻る温水の低下の度合いが僅かとなる。因みに、１次側温水回路１７０の流量は、上述したように暖房器１４０の設置台数を許容する流量であるため、概して流量が多く、しかも僅かな水温の低下をした比較的高温の温水が貯湯槽１１０内に戻るように運転される。
【０００８】
このように、比較的高温の温水を貯湯槽１１０内に戻すことは、例えば、給湯手段１００としてヒートポンプ式の給湯器であると、貯湯槽１１０内の水温低下に応じて温度調節するための給湯手段１１０の運転において、沸きあげのための給湯手段１１０の運転効率が好ましくない温度帯で長時間繰り返して運転される問題がある。
【０００９】
そこで、本発明の目的は、上記点に鑑みてなされたもので、暖房器の放熱に応じて１次側温水回路を循環させる流量を可変する流量制御手段を設けることで、給湯手段の効率向上を可能とする多機能給湯装置を提供することにある。
【００１０】
【課題を解決するための手段】
上記目的を達成するため、請求項１に記載の技術的手段を採用する。すなわち、請求項１に記載の発明では、温水を蓄える貯湯槽（１２）と、貯湯槽（１２）の下部から流出した湯を加熱し、加熱した湯を貯湯槽（１２）の上部に戻すヒートポンプ式給湯装置（１１）と、貯湯槽（１２）内の温水を一次側に流通させて２次側流体と熱交換する暖房用熱交換器（３１）と、貯湯槽（１２）の上部に接続され、貯湯槽（１２）内の温水を暖房用熱交換器（３１）に流入させ、暖房用熱交換器（３１）から流出した温水を貯湯槽（１２）の下部に戻す１次側温水回路（３０）と、１次側温水回路（３０）に配設され、貯湯槽（１２）内の温水を１次側温水回路（３０）において循環させる第１循環ポンプ（３２）と、２次側流体を流通させて暖房の用途に供する暖房器（５０、６０）と、暖房用熱交換器（３１）から流出した２次側流体を暖房器（５０、６０）に流入させ、暖房器（５０、６０）から流出した２次側流体を暖房用熱交換器（３１）に流入させる２次側温水回路（４０）と、２次側温水回路（３０）に配設され、予め設定された流量の２次側流体を暖房用熱交換器（３１）から暖房器（５０、６０）に循環させる第２循環ポンプ（４２）と、１次側温水回路（３０）および２次側温水回路（４０）に循環する温水および２次側流体の流量を制御する流量制御手段（２２）とを備える多機能給湯装置であって、暖房器（５０、６０）に流通させる２次側流体の水温（Ｔ１）を検出する第１水温検出手段（４１）と、暖房器（５０、６０）を流通させた２次側流体の水温（Ｔ２）を検出する第２水温検出手段（４４）とが設けられ、流量制御手段（２２）は、暖房器（５０、６０）を運転させたときに、第１水温検出手段（４１）によって検出された２次側流体の水温（Ｔ１）と第２水温検出手段（４４）によって検出された２次側流体の水温（Ｔ２）によって求められる受熱量が小さくなると、１次側温水回路（３０）内を循環する温水の流量が低下するように第１循環ポンプ（３２）の回転数を変化させるように制御することを特徴とする。
【００１１】
請求項１に記載の発明によれば、例えば２次側温水回路（４０）の暖房器（５０、６０）を複数個設置した場合には、暖房器（５０、６０）の運転台数や、暖房器（５０、６０）の放熱量が少ないときに、２次側温水回路（４０）を循環する２次流体の熱量が低下してしまう。このようなときには、１次側温水回路（３０）側の流量が多いと、暖房用熱交換器（３１）を通過して貯湯槽（１２）内に戻る温水の水温は、僅かに低下した比較的高温の温水となる。
【００１２】
そこで、本発明では、第１水温検出手段（４１）によって検出された２次側流体の水温（Ｔ１）と第２水温検出手段（４４）によって検出された２次側流体の水温（Ｔ２）により求められる受熱量が小さくなると、１次側温水回路（３０）内を循環する温水の流量が低下するように第１循環ポンプ（３２）の回転数を変化させるように制御することにより、例えば、暖房器（５０、６０）の運転台数、すなわち、暖房器（５０、６０）の放熱量が少ないときに、１次側温水回路（３０）内を循環する流量を低下させて、貯湯槽（１２）内に戻る温水の水温を下げることができる。
【００１３】
ところで、給湯手段（１１）として、例えばＣＯ２冷媒を用いたヒートポンプ式の給湯器においては、４０〜６０℃の水温を加熱させるときが運転効率が良く、特に６０℃を超える高温となるほど効率が悪くなる。従って、貯湯槽（１２）内に戻る温水の水温を下げるように制御することで運転効率の向上が図れる。特に、本発明では、第１水温検出手段（４１）及び第２水温検出手段（４４）によって検出された２次側流体の水温（Ｔ１、Ｔ２）によって、暖房用熱交換器（３１）における２次側温水回路（４０）への受熱量を求めることができる。２次側温水回路（４０）の受熱量の変化を的確に捉えることで、貯湯槽（１２）内に戻る温水の流量および水温を必要最小限に抑えるように貯湯槽（１２）内の温水の熱量を利用でき、給湯手段（１１）の運転効率の向上を高精度で図ることができる。
【００３３】
なお、上記各手段に付した括弧内の符号は、後述する実施形態記載の具体的手段との対応関係を示す。
【００３４】
【発明の実施の形態】
（第１実施形態）
以下、本発明を適用した第１実施形態の多機能給湯装置を図１ないし図４に基づいて説明する。図１は、多機能給湯装置の概略構成を示す模式図である。
【００３５】
多機能給湯装置は、図１に示すように、貯湯式給湯器１０、１次側温水回路２０、２次側温水回路３０、床暖房器４０および浴室暖房器５０などから構成されている。
【００３６】
貯湯式給湯器１０は、給湯手段として、ＣＯ2冷媒を用い図示しない圧縮機を圧縮させて、水道水を高温（例えば８０〜９０℃）の給湯水（以下、温水と称する）に加熱するヒートポンプ式給湯装置１１、このヒートポンプ式給湯装置１１により加熱された温水を蓄える貯湯槽１２、蓄えられた温水を給湯対象へ導くための給湯配管１３およびヒートポンプ式給湯装置１１を制御する給湯制御装置２０などから構成されている。
【００３７】
貯湯槽１２は、上方にヒートポンプ式給湯装置１１に接続された導入管１４ａに接続され、下方にヒートポンプ式給湯装置１１に接続された導出管１４ｂに接続されている。これにより、貯湯槽１２内の温水が導出管１４ｂ、ヒートポンプ式給湯装置１１、導入管１４ａ、貯湯槽１２内の順に、図示しない給湯ポンプにより循環させて貯湯槽１２内に高温の温水が蓄えられるように構成されている。
【００３８】
また、貯湯槽１２の上方には蓄えられた温水を出湯する出口部１２ａが設けられて給湯配管１３の上流端と接続され、下方には入口部１２ｂが設けられ、上流端が水道水に接続されて水道水を貯湯槽１２に導くための給水配管１５に接続されている。これにより、蓄えられた温水が給湯対象に給湯されると給水配管１５より水道水が供給されるようになっている。
【００３９】
給湯配管１３は、貯湯槽１２内で蓄えられた温水と水道水とを混合させて適温にして、例えば台所、洗面室、浴室および浴槽などの給湯対象に適温の温水を導く配管である。
【００４０】
また、給湯配管１３には、蓄えられた温水と水道水を混合する湯水混合弁１６が設けられ、一方が水道水が供給される給水配管１５に通ずるに入口部１２ｂに接続され、もう一方が出口部１２ｂに接続されて、水道水の水温と温水の水温との温度情報に基づいて開口面積比を調節することにより、貯湯槽１２から流出された高温の温水と給水配管１５から導かれた水道水との混合比率を調節して調節された温水を給湯配管１３に流通させるようになっている。
【００４１】
給湯制御装置２０は、操作パネル２１からの操作信号と、ヒートポンプ式給湯装置１１および貯湯槽１２に設けられた各センサ（図示せず）からの検出信号および、後述する暖房器の運転信号などを入力させてヒートポンプ式給湯装置１１内に設けられた駆動手段（図示せず）湯水混合弁１６などを制御するものである。
【００４２】
１次側温水回路３０は、貯湯槽１２内の高温の温水を利用して、後述する暖房器５０、６０に温水の熱量を供給するものであって、暖房用熱交換器３１と、貯湯槽１２内の高温の温水を出口部１２ａから暖房用熱交換器３１に流通させて、貯湯槽１２の入口部１２ｂに戻すように循環する第１循環ポンプ３２と、これらを環状に接続する循環水通路３３から構成されている。
【００４３】
暖房用熱交換器３１は、一次側に貯湯槽１２内の温水を流通させて２次側流体に一次側の温水の熱量を受熱させるように形成された対向流の水−水熱交換器である。
【００４４】
第１循環ポンプ３２は、図示しないモータ部がＤＣブラシレスにて形成され、回転数が複数段階に切換え可能なポンプであり、後述する流量制御手段である暖房制御装置２２により制御される。
【００４５】
２次側温水回路４０は、暖房用熱交換器３１から受熱した２次側流体の熱量を複数の暖房器５０、６０に並列に流通させる温水回路であって、暖房用熱交換器３１、第１水温検出手段である第１水温センサ４１、第２循環ポンプ４２、暖房器５０、６０および循環水通路４３から構成されている。
【００４６】
第１水温センサ４１は、暖房用熱交換器３１の出口側に設けられ、１次側の温水と熱交換された２次側流体の水温Ｔ１を検出するセンサである。
【００４７】
第２循環ポンプ４２は、２次側流体を暖房用熱交換器３１から暖房器５０、６０に流通させて循環水通路４３内を循環するポンプである。この第２循環ポンプ４２は、ここでは３台の暖房器５０、６０が同時使用されたときに、暖房の用途に供するための流量が設定されている。
【００４８】
ここで、本実施形態の暖房器５０、６０は、５０が床暖房器で、６０が浴室暖房器である。床暖房器５０は、床パネル５１内の配管５１ａに２次側流体を流通させて床を暖める暖房器であって、床パネル５１、床パネル５１の出口水温を検出する床暖水温センサ５２、配管５１ａに流通する２次側流体の流通を開閉する熱動弁５３および床暖制御装置２３から構成されている。
【００４９】
床暖制御装置２３は、床暖操作盤２４からの操作信号と床暖水温センサ５２からの検出信号を入力して熱動弁５３を制御するものである。なお、この床暖房器５０は、例えば洗面室や更衣室の床に設置されて暖房の用途に供されるものである。
【００５０】
また、浴室暖房器６０は、浴室内に温風を吹き出して暖房するものであって、放熱器６１、送風機６２、吸込み空気温度を検出する吸込み温度センサ６３、放熱器６１に流通する２次側流体の流通を開閉する開閉弁６４および浴室制御装置２５から構成されている。
【００５１】
浴室制御装置２５は、操作盤２６からの操作信号と吸込み温度センサ６３からの検出信号を入力して送風機６２および開閉弁６４を制御するものである。
【００５２】
なお、床暖制御装置２３および浴室制御装置２５は、床暖操作盤２４および操作盤２６からの操作信号のうち、運転信号が後述する流量制御手段である暖房制御装置２２に入力するように構成されている。
【００５３】
ここで、流量制御手段である暖房制御装置２２は、１次側温水回路３０および２次側温水回路３０内を循環する温水および２次側流体の流量を制御する制御装置であり、暖房器５０、６０からの運転信号および第１水温センサ４１からの検出信号を入力して、第１循環ポンプ３２と第２循環ポンプ４２とを制御させる。なお、暖房器５０、６０からの運転信号は、暖房制御装置２２から給湯制御装置２０に入力されるように構成されている。
【００５４】
次に、以上の構成による多機能給湯装置の作動を流量制御手段である暖房制御装置２２の制御処理を図２ないし図５に基づいて説明する。図２は、暖房制御装置２２が第１循環ポンプ３２と第２循環ポンプ４２とを制御するフローチャートであり、図３は、床暖制御装置２３が熱動弁５２を制御するフローチャートである。
【００５５】
まず、図２および図３に示すように、床暖操作盤２４内の図示しない運転スイッチをＯＮさせるとスタートする（ステップ２００およびステップ３００）。そして、ステップ２１０で運転スイッチがＯＮか否かを判定して、ステップ２２０で熱動弁５２を開弁させるとともに、一方のステップ３１０で暖房器５０の運転信号がＯＮか否かを判定して、ＯＮ信号が入力されているのでステップ３２０で第２循環ポンプ４２およびステップ３３０で第１循環ポンプ３２を作動させる。
【００５６】
これにより、貯湯槽１２内の温水が１次側温水回路３０内を循環するとともに、２次側温水回路４０内の２次側流体が床パネル５１内を循環する。そして、暖房用熱交換器３１の熱交換によって２次側流体が受熱されて床パネル５１に放熱することで床パネル５１が暖められる。
【００５７】
そして、床暖房器５０では、次のステップ２３０で床暖水温センサ５２より検出される床パネル５１の出口水温ＴFが設定温度に達したか否かを判定して設定温度に達するまで２次側流体を流通させる。
【００５８】
そして、出口水温ＴFが設定温度に達すると、次のステップ２４０で熱動弁５２を閉弁させる。そして、次のステップ２５０で出口水温ＴF＋αが設定温度を下回ったときにステップ２２０に戻り熱動弁５２を開弁させる制御を実行させて床パネル５１の温度制御がなされるものである。なお、運転スイッチがＯＦＦ操作されるとステップ２１０にて運転スイッチのＯＦＦ操作を判定してステップ２４０で熱動弁５２を閉弁させる。
【００５９】
ところで、床パネル５１内に流通する２次側流体は、床パネルの放熱量に応じて暖房用熱交換器３１から受熱するように構成されるとともに、床暖房に最適となる温度帯の水温（例えば６０℃前後）を超えないように流通させるようにしてある。すなわち、ステップ３３０では、第１水温センサ４１により検出された暖房用熱交換器３１の出口水温Ｔ１に応じて１次側温水回路３０を循環する流量を可変させてある。
【００６０】
因みに本実施形態では、水温Ｔ１と流量との関係を図４の特性イに示すように、水温が高いときに流量を低下させて水温Ｔ１に応じて流量を可変させるように第１循環ポンプ３２を制御させている。
【００６１】
これは、特に床パネル５１の放熱量が少なくなってくると水温Ｔ１が高めに推移されもので、このようなときに、１次側温水回路３０側の流量を低下させることにより、貯湯槽１２内に戻る温水の温度を低下させるようにしたものである。これにより、図４に示す特性ロの流量一定のときと比べて貯湯槽１２内に戻る温水の温度を低下させることができる。
【００６２】
なお、因みにこの流量一定のときには、一般的に複数の暖房器５０、６０が同時使用されても許容する流量に設定するために、概して流量を多くするために、暖房器５０、６０の運転台数が少なくなったときとか暖房負荷が低減して２次側温水回路４０の受熱量が減少してくると、１次側温水回路３０側の貯湯槽１２内に戻る温水の水温は低下が僅かとなる。
【００６３】
従って、貯湯槽１２内には、出湯温度よりも僅かに低下した水温の温水が下方から上方に掛けて侵入されることになるので、貯湯槽１２内の下方にある導出管１４ｂから吸込んで温度制御を行なう給湯制御装置２０が制御するヒートポンプ式給湯装置１１を作動させると、吸入側の水温が高いために運転効率が悪くなる。
【００６４】
そこで、本発明は、水温Ｔ１に応じて流量を可変させて貯湯槽１２内に戻る温水の温度を低下させるようにしたものである。
【００６５】
また、本実施形態では、次のステップ３４０およびステップ３６０において、水温Ｔ１が床暖房に最適となる温度帯の水温（例えば６０℃前後）を超えないように制御している。
【００６６】
具体的には、ステップ３４０で水温Ｔ１が第１所定温度（例えば６５℃）を超えたか否かを判定させて第１所定温度（例えば６５℃）を超えたときには、ステップ３５０で第１循環ポンプ３２を停止させて１次側温水回路３０側の温水の循環を停止させる。これにより、２次側温水回路４０内を循環する２次側流体の温度が第１所定温度（例えば６５℃）を超えることはない。
【００６７】
そして、水温Ｔ１が低下したときにはステップ３６０において第２所定値（例えば５５℃）以下となったか否かを判定させて第２所定値（例えば５５℃）以下となったときにはステップ３３０で第１循環ポンプ３２を作動させるとともに、水温Ｔ１に応じた流量で運転させる。これにより、第２所定値から第１所定値の範囲内の水温Ｔ１となるように制御される。この範囲内の水温Ｔ１は、熱すぎることがないために特に床暖房において最適温度とされている。
【００６８】
なお、浴室暖房器６０の作動は、浴室制御装置２５によって開閉弁６４および送風機６２が制御されるもので、図５に示すフローチャートに基づいて制御される。簡単に説明すると、操作盤２６内の図示しない運転スイッチをＯＮさせるとスタートする（ステップ２００）。そして、ステップ２１０で運転スイッチがＯＮか否かを判定して、ステップ２２０ａで開閉弁６４を開弁させ、ステップ２２０ｂで送風機６２を作動させる。
【００６９】
これにより、放熱器６１に２次側流体が流通され、浴室内空気が加熱されて浴室内が暖房される。そして、次のステップ２３０ａで吸込み温度センサ６３より検出される吸込み温度ＴHが設定温度に達したか否かを判定して設定温度に達するまで送風機６２が作動される。
【００７０】
そして、吸込み温度ＴHが設定温度に達すると、次のステップ２４０ａで送風機６２を停止させる。そして、次のステップ２５０ａで吸込み温度ＴH＋αが設定温度を下回ったときにステップ２２０ｂに戻り送風機６２を作動させる制御を実行させて浴室内の温度制御がなされるものである。なお、運転スイッチがＯＦＦ操作されるとステップ２１０にて運転スイッチのＯＦＦ操作を判定してステップ２４０ａで送風機６２を停止させ、ステップ２４０ｂで開閉弁６４を閉弁させる。
【００７１】
以上の構成による多機能給湯装置によれば、、第１水温センサ４１によって検出された２次側流体の水温Ｔ１に応じて、１次側温水回路３０内を循環する温水の流量を可変するように第１循環ポンプ３２を制御することにより、暖房器５０、６０の運転台数が少なくなったとき、つまり、暖房器５０、６０の放熱量が少ないときなど２次側流体の水温Ｔ１が高いときほど１次側温水回路の流量を低下させて、貯湯槽１２内に戻る温水の水温を下げるようにしたものである。
【００７２】
これにより、給湯手段として、例えばＣＯ2冷媒を用いたヒートポンプ式給湯装置１１においては、４０〜６０℃の水温を加熱させるときが運転効率が良く。特に６０℃を超える高温となるほど効率が悪くなる。従って、貯湯槽１２内に戻る温水の水温を下げるように制御することで、貯湯槽１２下方から吸込んで貯湯槽１２内の温水の温度を制御するように作動するヒートポンプ式給湯装置１１の運転効率の向上が図れる。
【００７３】
また、暖房器５０として、床暖房器５０を用いたときに、２次側流体の水温Ｔ１が所定温度（ここでは、６５℃）を超えたときに、１次側温水回路３０内を循環する温水が停止されるように制御させることにより、６５℃を超える熱すぎる温度帯を避けた快適な温度帯による床暖房の暖房感が得られる。
【００７４】
（第２実施形態）
２次側温水回路４０の暖房器５０、６０を複数個、設置したときには、暖房器５０、６０の運転台数、すなわち、暖房器５０、６０の放熱量に応じて暖房用熱交換器３１に戻る２次側流体の水温が異なる。
【００７５】
そこで、本実施形態では、図６に示すように、第２循環ポンプ４２の下流側に暖房用熱交換器３１に戻る２次側流体の水温Ｔ２を検出する第２水温検出手段である第２水温センサ４４を設けたものである。なお、第２水温センサ４４により検出された検出信号は暖房制御装置２２に入力される。
【００７６】
この第２水温センサ４４を設けて、暖房用熱交換器３１の出口側の水温Ｔ１と暖房用熱交換器３１の入口側の水温Ｔ２を検出することで、２次側温水回路４０の受熱量が求めることが容易となる。
【００７７】
従って、第１実施形態では、図４に示す特性の流量を設定させたが、これに限らず、この受熱量と水温Ｔ１とに応じて、貯湯槽１２内に戻す温水の水温を貯湯槽１２から出湯させる水温よりも低下させるように１次側回路３０の流量を可変する制御させても良い。
【００７８】
特に、受熱量が少ないときには、流量を低下させることで貯湯槽１２内に戻す温水の水温を低下させることができるとともに、受熱量が多いときでも所定の温度差を有して必要最小限の流量に多くしても良い。
【００７９】
これにより、例えば、暖房用熱交換器３１の熱交換効率が大となる流量で設定させることも可能となる。また、受熱量の多い、例えば暖房器５０、６０の運転開始直後の所定時間の間は、水温Ｔ１に応じて流量を多くしても良い。これにより、暖房器５０、６０の立ち上がり特性が向上する。
【００８０】
また、２次側温水回路４０の受熱量の変化を的確に捉えることで、貯湯槽１２内に戻る温水の流量および水温を必要最小限に抑えるように貯湯槽１２内の温水の熱量を利用できるため、貯湯槽１２内の温水の熱量を有効に利用することができる。
【００８１】
また、暖房器５０、６０が床暖房器５０のときには、それらの温度制御において床パネル５１内を通過する２次側流体を開閉させるように制御されるため、。２次側温水回路４０内を循環する流量が変化する。そこで、図６に示すように、２次側温水回路４０を循環する流量を検出する流量検出手段４５を設けても良い。これにより、上述と同様に２次側温水回路４０の受熱量を求めることができるため、同じ効果を奏する。
【００８２】
（他の実施形態）
以上の実施形態では、１次側温水回路３０を循環する流量をＤＣブラシレスモータ部有する第１循環ポンプ３２によって制御させたが、図７に示すように、１次側温水回路３０に流量を調節する流量調節弁３４を設け、この流量調節弁３４を暖房制御装置２２により制御させても良い。これによれば、第１循環ポンプ３２を誘導モータで良い。
【００８３】
また、第１循環ポンプ３２のモータ部に印加する電圧を可変させるように制御させてモータ部の回転数を可変させても良い。
【００８４】
また、以上の実施形態では、暖房器６０を浴室暖房器６０として説明したが、浴室を乾燥させる浴室乾燥器でも良い。なお、浴室乾燥器は浴室暖房器５０とは異なり外気を導入させることで浴室内の乾燥を促進させることができる。
【００８５】
また、以上の実施形態では暖房器５０、６０を３台構成させたが、台数に拘らない。
【００８６】
また、以上の実施形態では、温水を加熱する給湯手段として、ＣＯ2冷媒を用いたヒートポンプ式給湯装置１１で説明したが、これに限らず、太陽熱、ガス、液体燃料による給湯器や湯沸かし器などに適用される。また、水道水等を導入し、貯湯槽１２内で電気ヒータ等により加熱して高温の湯として蓄えるものであっても良い。
【００８７】
また、以上の実施形態において、各実数値は例示であって適宜設定し得るものである。
【図面の簡単な説明】
【図１】本発明の第１実施形態における多機能給湯装置の概略構成を示す模式図である。
【図２】本発明の第１実施形態における流量制御手段である暖房制御装置２２の制御処理を示すフローチャートである。
【図３】本発明の第１実施形態における床暖制御装置２３の制御処理を示すフローチャートである。
【図４】本発明の第１実施形態における１次側温水回路３０を循環する流量と水温Ｔ１との関係を示す特性図である。
【図５】本発明の第１実施形態における浴室制御装置２５の制御処理を示すフローチャートである。
【図６】本発明の第２実施形態における多機能給湯装置の概略構成を示す模式図である。
【図７】他の実施形態における多機能給湯装置の概略構成を示す模式図である。
【図８】従来技術における多機能給湯装置の概略構成を示す模式図である。
【符号の説明】
１１…ヒートポンプ式給湯装置（給湯手段）
１２…貯湯槽
２２…暖房制御装置（流量制御手段）
３０…１次側温水回路
３１…暖房用熱交換器
３２…第１循環ポンプ（循環ポンプ）
３４…流量調節弁
４０…２次側温水回路
４１…第１水温センサ（第１水温検出手段）
４４…第２水温センサ（第２水温検出手段）
４５…流量検出手段
５０…床暖房器（暖房器）
６０…浴室暖房器（暖房器）
Ｔ１…水温
Ｔ２…水温
【図１】
0004429560.tif 000002
【図２】
0004429560.tif 000003
【図３】
0004429560.tif 000004
【図４】
0004429560.tif 000005
【図５】
0004429560.tif 000006
【図６】
0004429560.tif 000007
【図７】
0004429560.tif 000008
【図８】
0004429560.tif 000009